(57)【特許請求の範囲】
【請求項１】
ベルト挿通孔を有するバックルと、該バックルから帯状をなして一体に延び、長尺物を巻回して該ベルト挿通孔に固定されるベルトと、該バックルに設けられた回転軸部とからなり、該長尺物を保持可能な保持部と、
該回転軸部に回転可能に軸支される一つの軸穴部を有し、該バックルに対して回動可能な回転部材と、
該軸穴部の外周面から該回転軸部が延びる方向に直交する方向、かつ互いに異なる方向に突出するように該回転部材に固定されて該バックルに対して該回転部材と一体で回動して選択され、形状が異なることにより異なる形状の貫設穴を有する相手部材に係止される複数個の係止部とを備えていることを特徴とする長尺物用固定具。
【請求項２】
前記回転部材は、前記バックルに対して着脱可能に構成されている請求項１記載の長尺物用固定具。
【請求項３】
一の前記係止部は、前記相手部材に形成された長穴に係止されるものであり、他の該係止部は、該相手部材に形成された丸穴に係止されるものである請求項１又は２記載の長尺物用固定具。
【請求項４】
前記係止部は、前記貫設穴を遮蔽できる大きさを有する皿バネ部と、前記皿バネ部の中央から前記回転軸部が延びる方向に直交する方向に向けて凸設された中央凸部と、前記中央凸部の先端側両側面から互いに離れるように分岐する係止爪とを有し、
前記中央凸部の根元側の前記係止爪と対向しない側面方向の長さは、前記相手部材に形成された前記貫設穴の穴径よりやや小さく、
前記係止爪の前記皿バネ部側の端部には段部が形成され、
前記皿バネ部と、前記係止爪の前記段部とにより前記相手部材を挟持する請求項１乃至３のいずれか１項記載の長尺物用固定具。
【請求項５】
前記バックルには、前記ベルト挿通孔から離れる方向に長く延びる軸支部材が凸設され、
前記回転軸部は、前記軸支部材の先端に凸設されている請求項１乃至４のいずれか１項記載の長尺物用固定具。
【発明の詳細な説明】
【技術分野】
【０００１】
本発明は長尺物用固定具に関する。
【背景技術】
【０００２】
特許文献１に従来の長尺物用固定具が開示されている。この長尺物用固定具は、ワイヤハーネスやチューブ等の長尺物を保持可能な保持部と、保持部に設けられ、特定の相手部材に係止される１個の係止部とを備えている。
【０００３】
より詳しくは、保持部はベルトクランプである。この保持部は、ベルト挿通孔を有するバックルと、バックルから帯状をなして一体に延び、長尺物を巻回してベルト挿通孔に固定されるベルトとからなる。係止部は、バックルに一体成形された略楔形状のものであり、保持部が長尺物を保持する側とは反対側に向けて突設されている。
【０００４】
このような構成である従来の長尺物用固定具は、保持部が長尺物を保持した状態で、係止部が相手部材に貫設された穴に挿通されて相手部材に係止されることにより、長尺物を相手部材に固定することが可能となっている。
【０００５】
【特許文献１】実開平５−７７０５７号公報
【発明の開示】
【発明が解決しようとする課題】
【０００６】
ところで、上記従来の長尺物用固定具は１個の係止部を備えているだけである。このため、異なる相手部材に長尺物を固定しようとする場合には、異なる係止部を備える別種の長尺物用固定具を用意し、長尺物をその長尺物用固定具に付け替えた後、その相手部材に固定しなければならない。この場合、作業が煩雑になってしまう。
【０００７】
本発明は、上記従来の実情に鑑みてなされたものであって、異なる相手部材に長尺物を容易に固定することができる長尺物用固定具を提供することを解決すべき課題としている。
【課題を解決するための手段】
【０００８】
本発明の長尺物用固定具は、ベルト挿通孔を有するバックルと、該バックルから帯状をなして一体に延び、長尺物を巻回して該ベルト挿通孔に固定されるベルトと、該バックルに設けられた回転軸部とからなり、該長尺物を保持可能な保持部と、
該回転軸部に回転可能に軸支される一つの軸穴部を有し、該バックルに対して回動可能な回転部材と、
該軸穴部の外周面から該回転軸部が延びる方向に直交する方向、かつ互いに異なる方向に突出するように該回転部材に固定されて該バックルに対して該回転部材と一体で回動して選択され、形状が異なることにより異なる形状の貫設穴を有する相手部材に係止される複数個の係止部とを備えていることを特徴とする。
【０００９】
このような構成である本発明の長尺物用固定具は、ワイヤハーネス等の長尺物を異なる相手部材に固定しようとする場合、複数個の係止部の中で相手部材に係止可能なものを回動して選択することができる。このため、従来の長尺物用固定具のように、異なる係止部を備える別種の長尺物用固定具に付け替える作業が不要となる。
【００１０】
したがって、本発明の長尺物用固定具は、異なる相手部材に長尺物を容易に固定することができる。
【００１２】
本発明の長尺物用固定具において、保持部はベルトクランプとして具体化される。つまり、保持部は、ベルト挿通孔を有するバックルと、バックルから帯状をなして一体に延び、長尺物を巻回してベルト挿通孔に固定されるベルトと、バックルに設けられた回転軸部とから構成される。また、各係止部は、軸穴部の外周面から該回転軸部が延びる方向に直交する方向、かつ互いに異なる方向に突出するように回転部材に固定される。そして、各係止部は、軸穴部が回転軸部に回転可能に軸支されることにより、バックルに回動可能に設けられる。このような構成により、この長尺物用固定具は、ベルトを長尺物に巻回してベルト挿通孔に固定するという単純な作業により、保持部に長尺物を容易に保持させることができる。
【００１３】
また、このような簡易な構成により、本発明の長尺物用固定具は製造コストの低廉化を図ることができる。
【００１４】
回転部材は、バックルに対して着脱可能に構成され得る。この場合、複数個の係止部が固定された回転部材を複数種類用意しておくことにより、選択可能な係止部の数を増やすことができる。
【００１５】
一の係止部は相手部材に形成された長穴に係止されるものであり、他の係止部は相手部材に形成された丸穴に係止されるものであり得る。この場合、長穴に係止される係止部を選択すれば、長尺物と相手部材との相対回転を規制できる。また、丸穴に係止される他の係止部を選択すれば、長尺物と相手部材との相対回転を許容できる。これらの係止部は多用されており、本発明の長尺物用固定具の汎用性が高い。
【発明を実施するための最良の形態】
【００１６】
以下、本発明を具体化した実施例を図面を参照しつつ説明する。
【実施例】
【００１７】
図１に示すように、実施例の長尺物用固定具１は、例えば、産業車両等の組立工程において、フレームやボディパネル等の相手部材８にワイヤハーネス等の長尺物９を固定するためのものである。この長尺物用固定具１は、図１に示す姿勢で使用されるのが一般的であるので、本実施例では、図１〜図６の紙面上側を上方と規定し、紙面下側を下方と規定して、各構成要素の説明を行う。但し、このような上下方向の規定は、長尺物用固定具１が使用される姿勢を限定するものではない。
【００１８】
図２及び図３に使用前の状態の長尺物用固定具１を示す。この長尺物用固定具１は、基本的な構成要素として、保持部としてのベルトクランプ１０と、２つの係止部２１、２２とを備えている。
【００１９】
ベルトクランプ１０は、熱可塑性樹脂が射出成形されてなる一体成形品であり、バックル１１と、ベルト１５とからなっている。
【００２０】
バックル１１は、上下方向に長いブロック状のバックル本体１１ａと、バックル本体１１ａの１つの側面１１ｂに沿って、上下方向に貫設された矩形断面のベルト挿通孔１２と、バックル本体１１ａの上面から上方に向けて凸設された円柱状の軸支部材１３とを有している。
【００２１】
図３に示すように、側面１１ｂの上下方向中間部には、係合舌片１１ｃが凸設されている。係合舌片１１ｃは、ベルト挿通孔１２を構成する側壁のうち、側面１１ｂに対面する側壁１２ａに接近するように下方に延びる舌形状とされている。係合舌片１１ｃの下端側の側壁１２ａを向く面には、上下に並ぶ２列の突起からなる係合歯列１１ｄが凸設されている。
【００２２】
軸支部材１３の上端には、回転軸部１４が凸設されている。回転軸部１４は、上方に向けて突出し、先端が鍵爪形状とされた一対の柱状突起１４ａ、１４ｂからなっている。各柱状突起１４ａ、１４ｂは、鍵爪を径外方向に向けた状態で、隙間を有して配設されている。この回転軸部１４は、後述する回転部材２０を回転可能に軸支するものである。また、回転軸部１４は、軸支部材１３が長く設定されることにより、ベルト挿通孔１２から上方に離れて配設されている。
【００２３】
ベルト１５は、側壁１２ａの下方からベルト挿通孔１２の貫設方向と直交する方向に帯状に細長く延び、先端１５ｂが先細る形状とされている。ベルト１５の下面には、ベルト１５の長手方向に配列された多数の溝からなる係合歯列１５ａが凹設されている。このような形状であるベルト１５は、可撓性を有しており、図１に示すように、先端１５ｂ側がループ状に曲げられて、ベルト挿通孔１２に上方から挿通されるようになっている。この際、ベルト１５の係合歯列１５ａと、係合舌片１１ｃの係合歯列１１ｄとが係合することにより、ベルト１５の先端１５ｂ側がベルト挿通孔１２内で下方には進めるが、上方に逆戻りできないようになっている。
【００２４】
次に、係止部２１、２２について説明する。図２、図３及び図４（ａ）に示すように、ベルトクランプ１０には、回転部材２０を介して２個の係止部２１、２２が設けられている。回転部材２０と係止部２１、２２とは、熱可塑性樹脂が射出成形されてなる一体成形品である。
【００２５】
回転部材２０は、円環状の軸穴部２０ａと、軸穴部２０ａの外周面から互いに反対を向いて径外方向に凸設された一対の支柱部２０ｂ、２０ｃとを有している。支柱部２０ｂの先端には係止部２１が一体に形成され、支柱部２０ｃの先端には係止部２２が一体に形成されている。
【００２６】
係止部２１は、皿バネ部２１ａと、中央凸部２１ｂと、一対の係止爪２１ｃ、２１ｄとを有しており、相手部材８に貫設された丸穴８ａに係止される種類のものである。
【００２７】
皿バネ部２１ａは、支柱部２０ｂの先端に配設された皿バネ形状のものであり、腹側を軸穴部２０ａの径外方向に向けている。図５に示すように、皿バネ部２１ａは、係止部２１が係止される丸穴８ａを遮蔽できる程度の大きさの円形状とされている。
【００２８】
中央凸部２１ｂは、図２、図３及び図４（ａ）に示すように、皿バネ部２１ａの中央から軸穴部２０ａの径外方向に向けて凸設され、図５に示すように、根元側断面が上下に細長い略矩形とされたテーパ状突起である。中央凸部２１ｂの根元側断面の上下方向長さは、係止部２１が係止される丸穴８ａの穴径よりやや小さくされている。
【００２９】
係止爪２１ｃ、２１ｄは、図２、図３及び図４（ａ）に示すように、それぞれ中央凸部２１ｂの先端側両側面から互いに離れるように分岐し、皿バネ部２１ａの外周縁に向かって傾斜しつつ延びる形状とされている。各係止爪２１ｃ、２１ｄの皿バネ部２１ａ側の端部には、段部２１ｅ、２１ｆが形成されている。段部２１ｅ、２１ｆの間隔は、係止部２１が係止される丸穴８ａの穴径よりある程度大きくされている。そして、係止部２１が丸穴８ａに挿入されると、係止爪２１ｃ、２１ｄが弾性変形して丸穴８ａを通過した後、係止爪２１ｃ、２１ｄが弾性復帰し、段部２１ｅ、２１ｆが丸穴８ａの反対側縁部に嵌まる。こうして、係止部２１は、相手部材８に貫設された丸穴８ａに係止されるようになっている。
【００３０】
係止部２２は、皿バネ部２２ａと、中央凸部２２ｂと、一対の係止爪２２ｃ、２２ｄとを有しており、相手部材８に貫設された長穴（図示しない）に係止される種類のものである。
【００３１】
皿バネ部２２ａは、支柱部２０ｃの先端に配設された皿バネ形状のものであり、腹側を軸穴部２０ａの径外方向に向けている。図６に示すように、皿バネ部２２ａは、係止部２２が係止される長穴を遮蔽できる程度の大きさの長円形状とされている。
【００３２】
中央凸部２２ｂは、図２、図３及び図４（ａ）に示すように、皿バネ部２２ａの中央から軸穴部２０ａの径外方向に向けて凸設され、図６に示すように、根元側断面が略正方形とされたテーパ状突起である。中央凸部２２ｂの根元側断面の上下方向長さは、係止部２２が係止される長穴の幅よりやや小さくされている。
【００３３】
係止爪２２ｃ、２２ｄは、図２、図３及び図４（ａ）に示すように、それぞれ中央凸部２２ｂの先端側両側面から互いに離れるように分岐し、皿バネ部２２ａの外周縁に向かって傾斜しつつ延びる形状とされている。各係止爪２２ｃ、２２ｄの皿バネ部２２ａ側の端部には、段部２２ｅ、２２ｆが形成されている。段部２２ｅ、２２ｆの間隔は、係止部２２が係止される長穴の長さよりある程度大きくされている。そして、係止部２１が丸穴８ａに挿入される場合と同様に、係止部２２が長穴に挿入されると、係止爪２２ｃ、２２ｄが弾性変形して長穴を通過した後、係止爪２２ｃ、２２ｄが弾性復帰し、段部２２ｅ、２２ｆが長穴の反対側縁部に嵌まる。こうして、係止部２２は、相手部材８に貫設された長穴に係止されるようになっている。
【００３４】
係止部２１、２２は、下記のようにして、ベルトクランプ１０のバックル１１に回動可能に設けられている。
【００３５】
まず、軸穴部２０ａを回転軸部１４の軸体１４ａ、１４ｂに対して上方から押し付けることにより、軸体１４ａ、１４ｂの上端側の鍵爪が弾性変形して互いに接近して軸穴部２０ａ内を通過した後、軸体１４ａ、１４ｂの上端側の鍵爪が弾性復帰して再び互いに離反する。これにより、図３に示すように、軸穴部２０ａは、軸支部材１３の上面と軸体１４ａ、１４ｂの鍵爪とにより、上下方向の移動を規制されるとともに、回転軸部１４に回転可能に軸支される。こうして、係止部２１、２２は、バックル１１に対して回動可能とされる。
【００３６】
また、軸体１４ａ、１４ｂの上端側の鍵爪を互いに接近させた状態で、軸穴部２０ａを軸体１４ａ、１４ｂの上方に引き抜くことにより、回転部材２０及び係止部２１、２２を回転軸部１４から取り外すことも可能となっている。
【００３７】
本実施例では、図４（ａ）に示す係止部２１、２２が固定された回転部材２０だけでなく、図４（ｂ）に示す係止部３１、３２が固定された回転部材２０も用意されている。図４（ｂ）に示す係止部３１は、図４（ａ）に示す係止部２１に対して相似形状であるが、一回り小さなものである。また、図４（ｂ）に示す係止部３２は、図４（ａ）に示す係止部２２に対して相似形状であるが、一回り小さなものである。このため、この長尺物用固定具１では、相手部材に応じて、いずれか一方を選択してバックル１１に取り付けることができ、選択可能な係止部の数を増やすことが可能となっている。
【００３８】
このような構成である実施例の長尺物用固定具１は、図１に示すように、長尺物９を相手部材８に固定しようとする場合、ベルト１５を長尺物９等に巻回してベルト挿通孔１２に先端１５ｂを挿通させる。そして、ベルト１５を締め上げると、係合歯列１１ｄと係合歯列１５ａとが係合することにより、ベルト１５がベルト挿通孔１２に固定され、長尺物９がベルトクランプ１０に保持される。このような単純な作業により、ベルトクランプ１に長尺物９を容易に保持させることができる。
【００３９】
そして、相手部材８において長尺物用固定具１を固定する箇所に丸穴８ａが開いている場合には、形状が異なる２個の係止部２１、２２の中で、丸穴８ａ用の係止部２１を回動して選択する。そして、係止部２１を丸穴８ａに挿入することにより、皿バネ部２１ａと段部２１ｅ、２１ｆとが相手部材８を板厚方向で挟持するので、係止部２１が相手部材８の丸穴８ａに係止される。
【００４０】
他方、相手部材８において長尺物用固定具１を固定する箇所に長穴が開いている場合には、２個の係止部２１、２２の中で、長穴用の係止部２１を回動して選択する。そして、係止部２２を長穴に挿入することにより、皿バネ部２２ａと段部２２ｅ、２２ｆとが相手部材８を板厚方向で挟持するので、係止部２２が相手部材８の長穴に係止される。
【００４１】
このため、長尺物用固定具１は、相手部材８の丸穴８ａ又は長穴に対応して、別種の長尺物固定具に付け替える作業が不要となっている。
【００４２】
したがって、実施例の長尺物用固定具１は、異なる相手部材に長尺物９を容易に固定することが可能となっている。
【００４３】
また、この長尺物用固定具１では、各係止部２１、２２は回転部材２０に固定され、回転部材２０はバックル１１に対して回動可能となっている。このような簡易な構成により、この長尺物用固定具１は、製造コストの低廉化を図ることができる。
【００４４】
さらに、この長尺物用固定具１では、上下方向に長い軸支部材１３により、回転軸部１４がベルト挿通孔１２から上方に離れて配設されている。このため、図１に示すように、ベルト１５が大径の長尺物９に巻回されて大きくループ状に曲がる場合でも、回転部材２０及び係止部２１、２２と、ベルト１５及び長尺物９とが干渉することがない。
【００４５】
また、この長尺物用固定具１において、係止部２１は相手部材８に形成された丸穴８ａに係止されるものであり、係止部２２は相手部材８に形成された長穴に係止されるものである。このため、丸穴８ａに係止される係止部２１を選択すれば、長尺物９と相手部材８との相対回転を許容できる。また、長穴に係止される係止部２２を選択すれば、長尺物９と相手部材８との相対回転を規制できる。このような種類の係止部２１、２２は多用されているので、長尺物用固定具１の汎用性が高くなっている。
【００４６】
以上において、本発明を実施例に即して説明したが、本発明は上記実施例に制限されるものではなく、その趣旨を逸脱しない範囲で適宜変更して適用できることはいうまでもない。
【産業上の利用可能性】
【００４７】
本発明は、ワイヤハーネス、チューブの他、ホース等の長尺物を相手部材に固定するために利用可能である。
【図面の簡単な説明】
【００４８】
【図１】実施例の長尺物用固定具を一部断面で示す側面図である。
【図２】実施例の長尺物用固定具の斜視図である。
【図３】実施例の長尺物用固定具を一部断面で示す側面図である。
【図４】実施例の長尺物用固定具に係り、（ａ）は２個の係止部を示す斜視図であり、（ｂ）は（ａ）とは別種の２個の係止部を示す斜視図である。
【図５】実施例の長尺物用固定具に係り、図３の矢視Ｖからの正面図である。
【図６】実施例の長尺物用固定具に係り、図３の矢視ＶＩからの正面図である。
【符号の説明】
【００４９】
１…長尺物用固定具
８…相手部材
８ａ…丸穴
９…長尺物
１０…保持部（ベルトクランプ）
１１…バックル
１２…ベルト挿通孔
１５…ベルト
２０…回転部材
２１、２２、３１、３２…係止部
【図１】
0004985349.tif 000002
【図２】
0004985349.tif 000003
【図３】
0004985349.tif 000004
【図４】
0004985349.tif 000005
【図５】
0004985349.tif 000006
【図６】
0004985349.tif 000007